(57)【特許請求の範囲】
【請求項１】
予めフィルムを内蔵し、ストロボ装置を備えたレンズ付きフィルムユニットにおいて、
前記ストロボ装置は、被写体からのストロボ光の反射光の量に応じたストロボ制御が行われる自動調光ストロボであり、
当該自動調光ストロボがフル発光した際のガイドナンバーにより決まる距離が３ｍ以上であり、
背景がＥＶ値で９以下の輝度の撮影において、ストロボ撮影における前記距離にある主要被写体と、フィルム上にプリント可能な潜像が形成できる輝度の背景との輝度差が、内蔵するフィルム上においてＥＶ値で４．５以下相当となる絞り値及び基準露光量でストロボ撮影する手段を有することを特徴とするレンズ付きフィルムユニット。
【請求項２】
前記ストロボ光を調光する手段は、撮影距離で２〜３ｍの距離にある標準反射板と前記背景の輝度差が内蔵するフィルム上においてＥＶ値で４．５以下となるように調光することを特徴とする請求項１に記載のレンズ付きフィルムユニット。
【発明の詳細な説明】
【０００１】
【発明の属する技術分野】
本発明は、ストロボを内蔵したレンズ付きフィルムユニットに関する。
【０００２】
【従来の技術】
従来より、レンズ付きフィルムユニットにおいては簡便であることと安価であることを旨としているので、露光調節の機構を有しておらず、絞りは撮影レンズの開放口径のみであり、シャッタ速度は１／１２５程度の一速である。撮影レンズは１枚若しくは２枚構成のプラスチックレンズからなり、開放口径のＦ値は１０程度と暗い。従って、ＩＳＯ１００のフィルムを用いると、日中晴天のときの撮影に限られてしまうため、少しでも低輝度で撮影可能なようにＩＳＯ４００のフィルムが装填されている。
【０００３】
例えば、シャッタ速度を１／１２５とし、絞りをレンズの透過率を加味したＴナンバーで１１とすると、ＩＳＯ１００における露光量はＥＶ１４となる。従って、ＩＳＯ４００のフィルムを用いるとＥＶ値は１２となって、フィルムや印画紙のラチチュードに頼ることによって、晴天の日中から薄暗い朝夕まで撮影可能となる。
【０００４】
しかし、これでも室内や夜間での撮影は不可能であるので、ストロボを内蔵して低輝度の撮影を可能としたレンズ付きフィルムユニットもある。しかし、レンズ付きフィルムユニットにおいて、大容量のストロボを内蔵するのは小型化を阻害したり原価高になって実現は困難であるので、ＩＳＯ１００におけるガイドナンバーは１０程度が普通である。このため、ＩＳＯ４００のフィルムを用い、Ｔナンバーを１１としたとき、適正露出の撮影距離は１．８ｍと比較的近距離であり、仮にＥＶ１．５までの露光量不足をフィルム等のラチチュードで補うことができるとしても、３．０ｍ程度迄が限界である。
【０００５】
このストロボ使用時の撮影距離を伸ばすために、ＩＳＯ８００のフィルムを装填したレンズ付きフィルムユニットが市販されている。この結果、上記と同一条件ならば、適正露出の撮影距離は２．５ｍとなり、ＥＶ１．５の露光量不足まで許容すると撮影距離は４．３ｍと延長する。
【０００６】
【発明が解決しようとする課題】
ストロボ撮影においては、適正露出の撮影距離は１点であるので、人物等の主要被写体をその距離に設定すると、その被写体より近距離の被写体は露出過多になり、遠距離にある背景の被写体は露出不足になる。レンズ付きフィルムユニットに装填されているフィルムはネガフィルムであるので、露出過多の方向にラチチュードが広く、近距離の被写体に対してはあまり問題にならない。一方、背景の被写体については家庭等の狭い室内における撮影においてはあまり遠距離でない上に、ストロボ光が種々の物体にバウンスして背景に照射され、計算上の露出よりも露出不足にはならない。また、家庭等の室内ではストロボ光以外の照明もあるので、これによっても背景の露出不足は低減されている。
【０００７】
しかしながら、ストロボ撮影は家庭等の室内のみとは限らず、ホテルのロビー等の広い室内や照明が少ない屋外でも行われる。この場合、適正な撮影距離に人物等の主要被写体を配置すれば主要被写体は適正露出となるが、背景の距離が数十メートルもあるとすると背景にはストロボ光が全く届かない。
【０００８】
従来のレンズ付きフィルムユニットにはＩＳＯ８００のフィルムを内蔵したものがあるが、開放Ｆ値が１０．３、シャッタ速度が１／１１０、ストロボのガイドナンバーがＩＳＯ１００にて１１．６である。従って、外光による撮影はＥＶ１０．５にて適正露出となり、ストロボ光による撮影は３．２ｍの距離にて適正露出となる。
【０００９】
このレンズ付きフィルムユニットを用いてホテルのロビー等の広い室内や照明が少ない屋外で３．２ｍの距離に主要被写体を置いてストロボ撮影をすると、主要被写体は適正露出となる。また、ストロボ光が届かない遠方の背景は外光のみによって露光されるが、フィルムのラチチュードは露出不足側にＥＶ値で１．５位であるので、遠方の背景がＥＶ９位の明るさであれば、出来上がった写真の上でも背景を視認できる。しかし、例えば遠方の背景の明るさがＥＶ８．５以下でストロボ撮影し、ストロボ撮影した主要被写体が適正露出になるようにプリントすると、写真の上では背景は暗くつぶれてしまう。即ち、人の目ではそれなりに視認できた遠方の背景が、出来上がった写真の上では全く視認できないようになってしまう。
【００１０】
本発明はかかる問題に鑑みてなされたものであり、特に広い室内や照明の少ない屋外におけるストロボ撮影において、従来のレンズ付きフィルムユニットよりも背景が暗く写ることがないようにしたレンズ付きフィルムユニットを提案することを課題とするものである。
【００１１】
【課題を解決するための手段】
上記課題は、下記の手段により解決される。
【００１２】
【課題を解決するための手段】
予めフィルムを内蔵し、ストロボ装置を備えたレンズ付きフィルムユニットにおいて、前記ストロボ装置は、被写体からのストロボ光の反射光の量に応じたストロボ制御が行われる自動調光ストロボであり、当該自動調光ストロボがフル発光した際のガイドナンバーにより決まる距離が３ｍ以上であり、背景がＥＶ値で９以下の輝度の撮影において、ストロボ撮影における前記距離にある主要被写体と、フィルム上にプリント可能な潜像が形成できる輝度の背景との輝度差が、内蔵するフィルム上においてＥＶ値で４．５以下相当となる絞り値及び基準露光量でストロボ撮影する手段を有することを特徴とするレンズ付きフィルムユニット。
【００１３】
【発明の実施の形態】
本発明におけるレンズ付きフィルムユニットの実施の形態を図１乃至図２により詳細に説明する。
【００１４】
図１はレンズ付きフィルムユニットの外観斜視図である。前面には撮影レンズ１、ファインダ窓２、ストロボ発光パネル３、ストロボスイッチレバー４が配置され、上面にはレリーズ釦５、指数器窓６、充電表示窓７が配置され、背面には巻上げノブ８が配置されている。ここで、ストロボ撮影を行うときは、ストロボスイッチレバー４を図の右方向に摺動させると、内部のメインスイッチがオンとなり、ストロボの充電が開始する。内部のメインコンデンサが所定の電圧に充電されると、充電表示窓７の点灯により充電状態を視認することができる。撮影にはレリーズ釦５を押せばよい。なお、ストロボスイッチレバー４を図の如く右方向に摺動させると、先端部４ａが右方に突出し、メインスイッチをオンにしたことを容易に判断できる。
【００１５】
次に、日中にてストロボを用いない通常撮影状態と、ストロボ撮影状態とにおいて、絞り及びシャッタ速度を切り替える構成を図２乃至図４を参照して説明する。
【００１６】
図２は絞り切り替えを行う構成の斜視図である。１１は絞り板であり、略中央には二つの貫通孔からなる大絞り１１ａと小絞り１１ｂが設けられ、図１においては大絞り１１ａが撮影レンズ１の後方に位置して、例えばＴナンバーにて７．３になる開放絞りを形成している。
【００１７】
絞り板１１の右腕１１ｃには図１に示したストロボスイッチレバー４が固着されると共に、絞り板１１の横方向に穿設された二つの長孔１１ｄに、ユニット本体等の固定物から立設したガイドピン１２が嵌合している。従って、ストロボスイッチレバー４の摺動操作により絞り板１１は左右方向に摺動する。また、絞り板１１の下部には逆Ｖ字形の切り欠き１１ｅ，１１ｆが設けられ、これらに板バネ１３の逆Ｖ字形の先端部が圧接しているのでクリックストップとなり、絞り板１１は２カ所の位置で位置決めされる。
【００１８】
１５はストロボユニットであり、１５１はストロボ回路を実装したプリント基板、１５２はストロボ光を発光し図１のストロボ発光パネル３からストロボ光を照射するストロボ発光部である。絞り板１１の腕部１１ｃの裏面には、先端が二股に分岐してストロボのメインスイッチとして作動する接片１６が設けられ、接片１６の先端部がプリント基板１５１の表面に圧接している。ここで、図２においては、接片１６の先端部はプリント基板１５１においてメインスイッチを形成する導電性パターン１５１ａ，１５１ｂの双方に当接しているので、導電性パターン１５１ａ，１５１ｂは導通し、メインスイッチはオンとなっている。従って、ストロボの充電が行われてストロボ撮影が可能となると共に、絞りは開放絞りの大絞り１１ａであるので、充分なストロボ撮影距離が得られる。
【００１９】
次に、ストロボスイッチレバー４を摺動操作して絞り板１１を左方向に摺動する。すると、板バネ１３の逆Ｖ字形の先端部が切り欠き１１ｆに圧接した状態で停止すると共に、撮影レンズ１の後方に小絞り１１ｂ（例えば、Ｔナンバーで１３．４）が位置する。また、接片１６の先端部はプリント基板１５１における導電性パターン１５１ａ，１５１ｂより離れるので、導電性パターン１５１ａ，１５１ｂは非導通となり、メインスイッチはオフとなる。従って、日中等の高輝度撮影に好適な撮影状態となる。
【００２０】
なお、上述の絞り板１１の形態に関しては、撮影レンズＬの光路内に固定絞りを設け、大絞り１１ａを固定絞りより大きな径に形成するか、大絞り１１ａの部分を切り欠いてもよい。
【００２１】
次に、ストロボスイッチレバー４の摺動によりシャッタ速度を切り換える構成を図３及び図４を参照して説明する。図３はシャッタチャージが完了した状態の正面図、図４はセクタが開口部を開口させた正面図である。
【００２２】
図３において、セクタ２１は支軸２２を中心に回動し、引っ張りバネ２３により時計方向に付勢されている。従って、静止時にはセクタ２１の端末部２１ａがストッパー２４に当接していると共に、セクタ２１はフィルムへの被写体光を通過させる開口部２６を閉鎖している。なお、セクタ２１は図２に示した絞り板１１の後方に配置されている。
【００２３】
シャッタチャージのときは、フィルム巻上げに連動してチャージレバー２５が図３の左方向から右方向に移動し、セクタ２１の先端部２１ｂを乗り越える。このとき支軸２２と嵌合しているセクタ２１の孔２１ｃは長孔に形成されているので、チャージレバー２５により先端部２１ｂが押され、セクタ２１は僅かに下方に移動するが、開口部２６を開放させることは全くない。
【００２４】
図３の如くシャッタチャージされた後、ユーザーが図１に示したレリーズ釦５を押すと、チャージレバー２５は図示していないチャージバネにより急速に左方に移動して、セクタ２１の先端部２１ｂの右側部を叩くので、図４の如くセクタ２１は反時計方向に回動して開口部２６を開放させる。セクタ２１は引っ張りバネ２３の付勢力に抗して慣性力により所定の角度の回動をした後、絞り板１１に立設したストッパー２７に当接して停止し、次に引っ張りバネ２３の付勢力により時計方向に回動して開口部２６を閉鎖する。
【００２５】
ここで、絞り板１１が左方に摺動してストロボのメインスイッチがオフのときは、ストッパー２７は図４の実線で示す位置２７ａにあってセクタ２１と当接し、シャッタ速度は高速（例えば、１／１２５）であるが、絞り板１１が図２の状態の如く右方に摺動して、ストロボのメインスイッチがオンのときは、ストッパー２７は図４の二点鎖線で示す位置２７ｂに移動し、セクタ２１と当接しないので、シャッタ速度は低速（例えば、１／８０）になる。
【００２６】
以上により、ストロボ撮影を行わない通常撮影状態のときは、絞りが小絞り（１３．４）になって、シャッタ速度は高速（１／１２５）になり、ストロボ撮影を行うときは、絞りは大絞り（７．３）になって、シャッタ速度は低速（１／８０）になる。
【００２７】
ここで、本実施の形態のレンズ付きフィルムユニットにおいては、予め製造工程にて装填するフィルムはＩＳＯ８００のネガフィルムである。撮影レンズ１は２枚玉のプラスチックレンズにしては大口径であるＴナンバーにて７．３の開放口径を実現している。
【００２８】
またストロボは、光量が可変の自動調光ストロボが搭載されている。この自動調光ストロボは、フル発光時のガイドナンバーがＩＳＯ１００にて１０である。この構成を図５に示すストロボ回路を用いて説明する。
【００２９】
図５において、ストロボ回路は、バッテリＢからの電源電圧を、ストロボ発光管５１の発光に必要な所定の電圧に昇圧する昇圧回路４１と、昇圧回路４１からの高電圧をメインコンデンサ５２に充電してストロボ発光管５１を発光させるストロボ発光回路４２と、反射光受光部を用いてストロボ発光管５１の発光量をストロボ撮影時に、被写体からの反射光を取り込んでストロボ発光管５１の発光量を自動的に制御するストロボ発光停止回路４３とを備えている。
【００３０】
ストロボ発光回路４２は、さらに前述のメインコンデンサ５２、ストロボ発光管５１、及びレリーズ釦５の押し操作に同調して、ストロボ発光管５１の発光を励起するトリガ回路４４との組合わせでなっている。昇圧回路４１とトリガ回路４４は、この種のストロボ内蔵レンズ付きフィルムユニットに用いられる公知のプリント配線とストロボ用電気部品との組合わせでなっており、トランスが昇圧回路４１に組み込まれ、トリガコイルとトリガスイッチがトリガ回路４４に組み込まれている。
【００３１】
ストロボ発光停止回路４３には、ストロボ発光管５１の発光を制御するサイリスタ５３と、反射光受光部の受光素子５４が所定値以上の反射光を受光した場合に、出力信号を発する測光回路４５とが設けられている。この測光回路４５は、受光素子５４、受光素子５４と直列に接続した積分用コンデンサ５５と、受光素子５４に並列に接続した小容量用コンデンサ５６、及びトランジスタ５７とから構成されており、受光素子５４に入射した被写体からの反射光を受光信号に変えて積分用コンデンサ５５で積分し、その値が所定値に達した場合、トランジスタ５７を動作して測光回路４５から出力信号を発するようにしている。
【００３２】
測光回路４５への電力供給は、ストロボ発光管５１、サイリスタ５３と並列に接続した抵抗５８、コンデンサ５９及びツェナーダイオード６０によって行なわれ、ストロボ発光管５１の発光によってツェナーダイオード６０に電圧が生じると、小容量用コンデンサ５６から積分用コンデンサ５５に若干の充電がされるようになっており、その後のストロボ発光管５１による積分の立ち上がりを改善するようになっている。
【００３３】
トランジスタ５７は、前述の如く積分値が所定値に達した場合に動作して、測光回路４５から出力信号を発する。測光回路４５の出力信号は、サイリスタ５３をターンオフするためのサイリスタ６１のゲートへ入ってこれを動作し、転流用コンデンサ６２を放電させてサイリスタ５３に逆電圧を与える。この結果、メインコンデンサ５２からストロボ発光管５１への電流の供給が遮断され、ストロボ発光管５１の発光が停止する。
【００３４】
ところで、ＩＳＯ１００のフィルムを用いたときのＥＶ値は下記の式で表せる。
【００３５】
ＥＶ＝ｌｏｇ（Ｆ2／Ｔ）／ｌｏｇ２
但し、Ｆ：撮影時における撮影レンズのＴナンバー、Ｔ：シャッタ速度である。
【００３６】
更に、予め装填したフィルムのＩＳＯ感度（Ｓ）を考慮し、ＩＳＯ１００のフィルムを用いたときのＥＶ値に換算したＥＶ値は下記の式となる。
【００３７】
ＥＶ＝〔ｌｏｇ10Ｆ2＋ｌｏｇ10（１／Ｔ）−ｌｏｇ10（Ｓ／１００）〕／ｌｏｇ10２
従って、本明細書においては、ＩＳＯ１００のフィルムを使用したときのＥＶ値に換算したＥＶ値を基準露光量のＥＶ値とする。
【００３８】
本実施の形態において、ストロボを用いない日中での外光による撮影においては、絞りは１３．４、シャッタ速度は１／１２５であるので、ＩＳＯ１００のフィルムを用いたときのＥＶ値はＥＶ１４．５となるが、フィルムの感度はＩＳＯ８００であるので、実質的に基準露光量のＥＶ値はＥＶ１１．５となる。
【００３９】
また、ストロボ撮影において、絞りはＴナンバーで７．３であり、フル発光時にＩＳＯ１００において１０であるガイドナンバーをＩＳＯ８００に換算すると２８．３となる。従って、フル発光時に適正露出となる撮影距離は、２８．３／７．３＝３．９ｍとなる。即ち、一般的に標準反射板と呼ばれ平均的な人物の肌の反射率を基に設定した１８パーセントの反射率を有する１８パーセント反射板を３．９ｍに置くと、この反射板が適正露出状態で露光される。
【００４０】
なお、ＥＶ１．５まで露光不足になることを許容するならば、最大撮影距離は６．５ｍとなる。従って、フル発光でガイドナンバー１０程度の小型な自動調光ストロボにも拘わらず、充分な撮影距離が得られる。
【００４１】
一方、ストロボ撮影において、ストロボ光が届かない背景についての露光量は、Ｔナンバーで７．３の絞りと１／８０のシャッタ速度のみにより決定されるので、ＩＳＯ１００のフィルムを用いたときのＥＶ値は上記式よりＥＶ１２．１となるが、フィルムはＩＳＯ８００であるので、実質的に基準露光量のＥＶ値はＥＶ９．０となる。
【００４２】
従って、ストロボ撮影における最大撮影距離よりも遠方の背景についてはＥＶ９．０の基準露光量で露光され、フィルムのラチチュードは露出不足側にＥＶ値で１．５位あるので、従来より暗いＥＶ７．５迄では出来上がった写真の上で背景が暗くつぶれることがない。
【００４３】
また、レンズ付きフィルムユニットにおいては通常撮影最至近距離が１ｍに設定されているが、１ｍの１８パーセント反射板の被写体についてストロボ撮影を行った場合におけるストロボ光による被写体露光量は、自動調光ストロボの調光動作によりＥＶ９相当で、背景との輝度差が通常の印画紙が有するラチチュードＥＶ４．５以内であり、ＥＶ７．５の背景と１ｍの被写体の両方をプリント上で再現することができる。
【００４４】
また、朝夕の薄暗い景色のみを撮る場合には、ストロボが発光しても全く関係ないが、ストロボ撮影状態にして絞りを開放にすると、ＥＶ９．０で撮影されるので、充分に適正露出の写真を得ることが出来る。
【００４５】
このように、ストロボ撮影状態と通常撮影状態の切り換えを行えるようにレンズ付きフィルムユニットを構成する場合には、ストロボ撮影状態での絞り値とシャッタ速度と装填したフィルムの感度とにより決定されるＩＳＯ１００のフィルム感度に換算した基準露光量のＥＶ値をＡとしたとき、Ａは、
Ａ≦１０
を満足するように構成する。
【００４６】
なお、前述したように基準露光量のＥＶ値は下記の式で求めることができる。
【００４７】
ＥＶ＝〔ｌｏｇ10Ｆ2＋ｌｏｇ10（１／Ｔ）−ｌｏｇ10（Ｓ／１００）〕／ｌｏｇ10２
ここで、Ｆは撮影レンズのＴナンバー、Ｔはシャッタ速度（秒）、ＳはフィルムのＩＳＯ感度である。
【００４８】
なお、撮影レンズのＴナンバーＦ、シャッタ速度Ｔ（秒）、フィルムのＩＳＯ感度Ｓはそれぞれ、Ｆ≧５．６，Ｔ＝１／８０〜１／３０，Ｓ≧６４０の範囲の中から設定するのが望ましい。
【００４９】
また、ストロボ撮影時における撮影レンズのＴナンバーは、ストロボのコンデンサ容量をなるべく小さくできるように９以下に設定するのが望ましい。
【００５０】
また使用する自動調光ストロボは、被写体からのストロボ光の反射光の量に応じたストロボ制御が行われるものとすることで、レンズ付きフィルムユニットを複雑にすることなく搭載可能となり、しかも、このような自動調光ストロボを使用することで、撮影レンズの被写界深度内である至近距離から自動調光ストロボがフル発光した際のガイドナンバーにより決まる距離まで被写体の潜像をほぼ同じ条件でフィルム上に記録することが可能となり、前記ガイドナンバーにより決まる距離にありストロボ光により照射された標準反射板と、ＥＶ値で９以下の輝度でかつフィルム上にプリント可能な潜像として形成できる最低輝度の背景との輝度差が、内蔵するフィルム上において印画紙のラチチュードに相当するＥＶ値で４．５以下相当となるようにストロボ撮影時の絞り値および基準露光量を決定することにより主要被写体と背景とを出来上がった写真の上で良好に再現することができる。そして、自動調光ストロボがフル発光した際のガイドナンバーにより決まる距離を３ｍ以上としておくことで、撮影距離で２〜３ｍの距離にある標準反射板と背景の輝度差が内蔵するフィルム上においてＥＶ値で４．５以下となるように調光することができる。
【００５１】
このような、自動調光ストロボのフル発光した場合のガイドナンバーは、大きなガイドナンバーのものを使用したほうが遠距離まで撮影が可能となり有利である。なお、レンズ付きフィルムユニットの大きさを考慮すると、ガイドナンバーの上限は、ＩＳＯ１００でのガイドナンバーで２０とするのが望ましい。また、電池容量や充電にかかる時間を考慮するとＩＳＯ１００でのガイドナンバーで１２以下とするのがより望ましい。
【００５２】
また、上記ストロボ撮影状態のＥＶ値がＡの条件において、ＥＶ値Ａが１０を越えると、ストロボ撮影状態における夜間の照明下での撮影において、主要被写体とＥＶ８．５以下の明るさの広い室内の背景が良好な露出状態となっているプリントを得ることが難しくなる。なお、ＥＶ値Ａの上限は９．５とすることが望ましい。
【００５３】
また、ＥＶ値Ａの下限は４とするのが望ましい。基準露光量を低輝度に設定するためには、より大口径の撮影レンズを用いる必要があるが、原価的に制限のあるレンズ付きフィルムユニットにおいては困難であるので、高感度のフィルムを用いてシャッタ速度を低速にすることが考えられる。しかし、シャッタ速度を低速にすると手ブレが発生し、一般的に手ブレを抑えられるシャッタ速度の限界は撮影レンズの焦点距離を３０ｍｍと想定すれば１／３０である。従って、フィルムの感度としてＩＳＯ６４００のものを装填したとしても、シャッタ速度を１／３０に、絞りをＴナンバーにて５．６とすればＥＶ３．９となるので、基準露光量としてはＥＶ値で４が限界となる。
【００５４】
これらの条件を整理すると、ＥＶ値Ａは望ましくは、
４≦Ａ≦１０
より望ましくは、
４≦Ａ≦９．５である。
【００５５】
また、通常撮影状態での絞り値とシャッタ速度と装填したフィルムの感度とにより決定されるＩＳＯ１００のフィルム感度に換算したＥＶ値をＢとしたとき、Ｂは、
Ａ＋１≦Ｂ  かつ  ９≦Ｂ
を満足するように構成することが望ましい。
【００５６】
また、上記ＥＶ値Ｂの上限は、上記ＥＶ値Ａとの関係を満たし、且つ１３以下に設定するのが望ましい。
【００５７】
次に、使用する撮影レンズの望ましい条件について説明する。なお、以下の説明においては、撮影レンズの絞り値をＦナンバーで説明するが、ＦナンバーとＴナンバーの関係は後述する撮影レンズを２枚のプラスチックレンズで構成した実施例の場合に下記の如くなる。
【００５８】
Ｔナンバー  １．０８５×Ｆナンバー
使用する撮影レンズは２つのレンズ成分と絞りよりなり、且つ、撮影レンズの開放ＦナンバーをＦOとしたとき、以下の条件式を満足する構成にするのが望ましい。
【００５９】
５．６＜ＦO＜８                                         （１）
更に望ましくは、（１）の条件を満たし、撮影レンズの半画角をωとし、焦点距離をｆとしたとき、以下の条件式を満足する構成にする。
【００６０】
５＜ｆ／（ＦO・ｔａｎω）＜７                           （２）
更に望ましくは、（１）の条件を満たし、撮影レンズのＦナンバーが、Ｆのマージナル光線の球面収差をＳＡ（Ｆ）とし、撮影画面の長辺方向の長さの半分をｙLとしたとき、以下の条件式を満足する構成にする。
【００６１】
−０．０７２ｙL＜ＳＡ（ＦO／０．７）＜−０．０２４ｙL   （３）
更に望ましくは、（１）の条件を満たし、ストロボ撮影時における撮影レンズのＦナンバーをＦOとし、通常撮影状態におけるＦナンバーをＦOffとしたとき、以下の条件式を満足するように構成する。
【００６２】
０．４＜ＦO／ＦOff＜０．７                              （４）
更に望ましくは、（１），（４）の条件を満たし、撮影レンズのＦナンバーがＦのマージナル光線の球面収差をＳＡ（Ｆ）とし、撮影画面の長辺方向の長さの半分をｙLとしたとき、以下の条件式を満足する構成にする。
【００６３】
−０．００８ＦOff・ｙL＜ＳＡ（ＦO）＜−０．００３ＦOff・ｙL（５）
且つ
−０．０７２ｙL＜ＳＡ（ＦO／０．７）＜−０．０２４ｙL   （６）
以上の構成において、各条件式について説明する。先ず、条件式（１）の上限を超えると、低輝度被写体に対する露光が十分に得られない。即ち、木陰や夕暮時、あるいは屋内においてストロボ撮影したとき、遠距離の被写体である背景にストロボ光の照射が少なくなるので、露光が不十分となり良好な画質の写真を得ることができない。これに対し、条件式（１）の下限を下まわると、２枚のレンズでは球面収差を始めとする諸収差を十分に補正できず、また焦点深度が浅くなりすぎ、像面湾曲や製造時のバックフォーカスの誤差、レンズ組み込み時の取付誤差の影響が大きすぎてピントの悪い写真となることが多くなってしまう。
【００６４】
また、レンズ３枚を用いて撮影レンズを構成する場合、各レンズに反射防止コートを施さないと透過光がレンズへの入射光の内の約７９％となり、また屈折面での２回以上反射して画面に到達するフレア光の割合が上記透過光の２．２％に達し好ましくなく、これを防ぐために少なくとも１つのレンズに反射防止コートをする必要があり、コストアップは避けられない。一方、レンズ２枚の場合は、反射防止コートを施さなくても、透過光は約８５％であり、フレア光は透過光に対し、０．８６％程度と少なく十分である。従ってレンズを２枚で構成することは、コスト、レンズ性能を総合して、レンズ付きフィルムユニットの撮影レンズとしては最適である。
【００６５】
条件式（２）は、条件式（１）の開放Ｆナンバーを有する撮影レンズで固定焦点式カメラとして十分な被写界深度を得るための条件である。条件式（２）の上限を越えると、被写界深度が浅くなりすぎ、これに対し、下限を下まわると、レンズが広角になりすぎ、コサイン４乗則の影響で周辺光量が不足したり、パースペクティブの効果が大きくなりすぎ、違和感のある写真となりがちで好ましくない。
【００６６】
また、撮影レンズは球面収差が補正不足で条件式（３）を満足するようにすると良い。条件式（３）の上限を越えると、球面収差が補正されすぎ、中心のフォーカス位置が理想像面位置に近づき、軸外光束のフォーカス位置との差、すなわち像面湾曲による影響が大きくなり好ましくない。条件式（３）の下限を下まわると、球面収差が大きすぎ好ましくない。
【００６７】
また、条件式（４）を満足するようにレンズのＦナンバーを変化させると、被写体輝度の大きい晴天の屋外でも露光オーバーとならず、被写体輝度が不足する屋内などではＦナンバーが小さくなり、ストロボのガイドナンバーが比較的小さくてもストロボ光が届き、背景などより遠距離の被写体の露光も十分得ることができるようになる。条件式（４）の上限を越えるとＦOとＦOffの差が小さすぎ十分な効果を得ることができない。逆に下限を下まわるとＴナンバーの差がありすぎ輝度が中間の被写体の露光がどちらを選択しても不適切となりやすく好ましくない。
【００６８】
また、（４）の条件を満たして、上記の撮影レンズを条件式（３）を満足するようにすると、前述したように開放時の諸収差を良好に補正することができる。
【００６９】
更に、（１），（４）の条件を満たして、条件式（５）を満足するようにすると、ストロボの使用時、不使用時ともに適切な被写界深度を得ることができる。条件式（５）の上限を越えると、開放ＦナンバーＦOにおける球面収差量が少なく、ＦOffに絞ったとき最良ピント位置の変位量が少なく、開放時にストロボ光による補助光が十分に届く範囲に被写界深度が入るようにすると、ＦOffに絞ったとき遠距離被写体の解像度が十分に向上しないため好ましくない。逆に条件式（５）の下限を下まわるとＦOffに絞ったとき最良ピント位置の変位が大きすぎ、ＦOffに絞ったときの近距離被写体の解像度が十分得られなくなる。
【００７０】
【実施例】
以下に撮影レンズの実施例について説明する。各実施例における記号は以下の通りである。
【００７１】
ＦO：撮影レンズの開放Ｆナンバーであり、ストロボ使用時のＦナンバー
ＦOff：通常撮影状態でのＦナンバー
ｆ：撮影レンズの焦点距離
ω：半画角
ｒ：屈折面の曲率半径
ｄ：屈折面の間隔
Ｎd：ｄ線での屈折率
νd：アッベ数
ｙL：撮影画面の長辺方向の長さの半分
Ｕ：物像間距離
また、本願発明で用いた非球面の形状は座標を光軸方向にｘ軸をとり、光軸と垂直方向の高さをｈとすると、数１の式で表される。
【００７２】
【数１】
0003937628.tif 000002
【００７３】
数１において、Ｋは非球面の円錐定数、Ａ2iは非球面係数（ｉ＝２，３，４，５，６）を示す。
【００７４】
なお、図中ΔＳはサジタル、ΔＭはメリジオナルを表す。
【００７５】
（実施例１）
図６にレンズ光軸断面図を、図７にレンズ収差図を示す。また、レンズデータを表１に示す。
【００７６】
【表１】
0003937628.tif 000003
【００７７】
但し、
ｆ／（ＦO・ｔａｎω）＝６．０
ＳＡ（ＦO／０．７）／ｙL＝−０．０４４
ＦO／ＦOff＝０．４２〜０．６７
ＳＡ（ＦO）／（ＦOff・ｙL）＝−０．００４２〜−０．００６７
図８と図９は、第２レンズＬ２のフィルム側に配置されている絞り２（ＡＰ２)を可変絞りとしてＦOffを１３、撮影レンズの最終面と撮像画面との距離を２５．８ｍｍとし、撮像面を曲率半径が１１０ｍｍのシリンドリカル面とし、更に絞りをＦOとしたときの画面の長辺方向についての各被写体距離でのＭＴＦの図を示す。また、同様にして、図１０と図１１は、ＦOffに絞ったときの画面の長辺方向についての各被写体距離でのＭＴＦの図を示す。
【００７８】
図８乃至図１１のＭＴＦの図に示す如く、開放ではストロボの到達距離に相当する１ｍから４ｍの被写体についてピントが良好になっており、フラッシュを使用しないときは絞りＦ１３となり、１ｍから無限遠方までピント良好となる。またＭＴＦの値自体も十分であり、良好な画質の写真を得ることが出来る。
【００７９】
（実施例２）
図１２にレンズ光軸断面図を、図１３にレンズ収差図を示す。また、レンズデータを表２に示す。
【００８０】
【表２】
0003937628.tif 000004
【００８１】
但し、
ｆ／（ＦO・ｔａｎω）＝６．１６
ＳＡ（ＦO／０．７）／ｙL＝−０．０４４
ＦO／ＦOff＝０．４２〜０．６７
ＳＡ（ＦO）／（ＦOff・ｙL）＝−０．００４０〜−０．００６４
（実施例３）
図１４にレンズ光軸断面図を、図１５にレンズ収差図を示す。また、レンズデータを表３に示す。
【００８２】
【表３】
0003937628.tif 000005
【００８３】
但し、
ｆ／（ＦO・ｔａｎω）＝６．１２
ＳＡ（ＦO／０．７）／ｙL＝−０．０４４
ＦO／ＦOff＝０．４２〜０．６７
ＳＡ（ＦO）／（ＦOff・ｙL）＝−０．００４０〜−０．００６４
【００８４】
【発明の効果】
請求項１〜２に記載のレンズ付きフィルムユニットによれば、特に広い室内や照明の少ない屋外におけるストロボ撮影において、背景が暗く写ってつぶれた写真ができることが従来のレンズ付きフィルムユニットよりも少なくなる。
【図面の簡単な説明】
【図１】レンズ付きフィルムユニットの外観斜視図である。
【図２】絞り板を切り替える構成の斜視図である。
【図３】シャッタチャージが完了した状態の正面図である。
【図４】セクタが開口部を開口させた正面図である。
【図５】自動調光ストロボの回路図である。
【図６】実施例１のレンズ光軸断面図である。
【図７】実施例１のレンズ収差図である。
【図８】実施例１のＦOにおけるＭＴＦの図である。
【図９】実施例１のＦOにおけるＭＴＦの図である。
【図１０】実施例１のＦOffにおけるＭＴＦの図である。
【図１１】実施例１のＦOffにおけるＭＴＦの図である。
【図１２】実施例２のレンズ光軸断面図である。
【図１３】実施例２のレンズ収差図である。
【図１４】実施例３のレンズ光軸断面図である。
【図１５】実施例３のレンズ収差図である。
【符号の説明】
１  撮影レンズ
３  ストロボ発光パネル
４  ストロボスイッチレバー
１１  絞り板
１１ａ  大絞り
１１ｂ  小絞り
１５  ストロボユニット
１５１  プリント基板
２１  セクタ
２７  ストッパー
４２  ストロボ発光回路
４３  ストロボ発光停止回路
【図１】
0003937628.tif 000006
【図２】
0003937628.tif 000007
【図３】
0003937628.tif 000008
【図４】
0003937628.tif 000009
【図５】
0003937628.tif 000010
【図６】
0003937628.tif 000011
【図７】
0003937628.tif 000012
【図８】
0003937628.tif 000013
【図９】
0003937628.tif 000014
【図１０】
0003937628.tif 000015
【図１１】
0003937628.tif 000016
【図１２】
0003937628.tif 000017
【図１３】
0003937628.tif 000018
【図１４】
0003937628.tif 000019
【図１５】
0003937628.tif 000020